(57)【要約】【課題】部品点数の増加や組立作業の困難性を回避しつつ、フレキシブル配線板の撓み状態を確実に制御することの可能なカメラ構造を提供する。【解決手段】本発明のカメラ１００は、電気的に制御可能な光学要素１２３と、当該光学要素を保持して光軸方向に移動可能に設けられた保持枠１２５と、光学要素及び保持枠を収容する鏡筒１１０と、光学要素を、光学要素を電気的に制御する制御部１３３に対して電気的に接続するフレキシブル配線板１３２と、を有し、フレキシブル配線板は、鏡筒の内部において、常時、保持枠からその径方向外側において光軸方向前方へ向けて導出されるとともに、その先で径方向外側に湾曲（１３２ｃ）して光軸方向後方へと向きを変える。【選択図】          図１
2004205610.tif 000002
【特許請求の範囲】
【請求項１】
電気的に制御可能な光学要素と、当該光学要素を保持して光軸方向に移動可能に設けられた保持枠と、前記光学要素及び前記保持枠を収容する鏡筒と、前記光学要素を、前記光学要素を電気的に制御する制御部に対して電気的に接続するフレキシブル配線板と、を有するカメラにおいて、
前記フレキシブル配線板は、前記鏡筒の内部において、常時、前記保持枠からその径方向外側において光軸方向前方へ向けて導出されるとともに、その先で径方向外側に湾曲して光軸方向後方へ向きを変えることを特徴とするカメラ。
【請求項２】
前記フレキシブル配線板は、前記保持枠の後部外周から導出され、当該後部外周から導出される部分に、径方向外側に屈曲して光軸方向前方に向かう自己保持可能な屈曲部を有することを特徴とする請求項１に記載のカメラ。
【請求項３】
電気的に制御可能な光学要素と、当該光学要素を保持して光軸方向に移動可能に設けられた保持枠と、前記光学要素及び前記保持枠を収容する鏡筒と、前記光学要素を、前記光学要素を電気的に制御する制御部に対して電気的に接続するフレキシブル配線板と、を有するカメラにおいて、
前記フレキシブル配線板は、全体として前記鏡筒の内部を前記光学要素から光軸方向後方へ向けて伸び、前記保持枠の近傍において途中で径方向外側に屈曲して光軸方向前方へ向きを変える自己保持可能な屈曲部を有し、当該屈曲部の先において径方向外側に湾曲して光軸方向後方へ向きを変えることを特徴とするカメラ。
【請求項４】
前記光学要素の光軸方向前方に、前方光学要素及び当該前方光学要素を保持して光軸方向に移動可能に設けられた前方保持枠を設け、当該前方保持枠は、光軸方向後方へ移動したときに、前記フレキシブル配線板における湾曲して光軸方向後方へ向きを変える部分の径方向外側に挿入配置されるように構成されていることを特徴とする請求項１乃至３のいずれか一項に記載のカメラ。
【請求項５】
前記鏡筒の内部の光軸方向後方位置に、前記フレキシブル配線板における湾曲して光軸方向後方へ向きを変える部分よりも光軸方向後方にある部分を半径方向内側から支持する基板支持部を有することを特徴とする請求項１乃至４のいずれか一項に記載のカメラ。
【請求項６】
前記基板支持部は、前記保持枠が光軸方向後方に位置するとき、前記保持枠の外面との間に前記フレキシブル配線板を配置可能な状態で径方向に重なるように設けられていることを特徴とする請求項５に記載のカメラ。
【発明の詳細な説明】
【０００１】
【発明の属する技術分野】
本発明はカメラに係り、特に、シャッタなどの電気的に制御可能な光学要素を光軸方向に移動可能に構成したカメラの内部構造に関する。
【０００２】
【従来の技術】
一般に、一又は複数のレンズ群を光軸方向に移動可能に構成した沈胴式カメラが知られている。この沈胴式カメラのうち、ズーム機能を備えたカメラにおいては、鏡筒内に配置されたシャッタ機構を光軸方向に移動させる必要があるため、シャッタ機構とカメラ本体内にある制御部との間をフレキシブル配線板で電気的に接続し、シャッタ機構が鏡筒内で光軸方向に移動しても支障なく制御できるように構成してある。
【０００３】
しかしながら、沈胴状態になると上記シャッタ機構が光軸方向後方へ移動するため、フレキシブル配線板が弛んだ状態になるので、フレキシブル配線板が撓むことにより鏡筒内の他の部材に干渉したり、光路を遮ったりする場合が考えられる。そこで、従来から、他の部材や光路に対するフレキシブル配線板の干渉を回避するための種々の提案がなされている。
【０００４】
たとえば、レンズを保持する保持枠と鏡筒との間に、フレキシブル配線板を撓ませた状態で収容可能な空隙を、たとえば、保持枠に凹部を設けることなどによって確保し、この空隙内にフレキシブル配線板を撓ませた状態で収容したレンズシャッターカメラが知られている（たとえば、特許文献１参照）。
【０００５】
また、鏡筒内において、フレキシブル配線板を光軸側から押さえる押さえ部を備えた押さえ部材を回動自在に取り付けるとともに、当該押さえ部をフレキシブル配線板に向けて付勢する付勢手段を設けたカメラも知られている（たとえば、特許文献２参照）。
【０００６】
【特許文献１】
特開平６−３５７４号公報
【特許文献２】
特開平１１−２４８９９１号公報
【０００７】
【発明が解決しようとする課題】
しかしながら、上記の空隙内にフレキシブル配線板を撓ませた状態で収容する構成を備えたカメラにおいては、保持枠の光軸方向への移動に伴って発生するフレキシブル配線板の長さ余裕を全て上記空隙内に配置された折り畳み部分によって吸収する必要があるため、空隙の容積が小さい場合には、その折り畳み態様が複雑になり、また、折り畳み状態が所望の態様に必ずしもならない可能性がある。
【０００８】
また、上記の押さえ部材を設けたカメラにおいては、当該押さえ部材を鏡筒内において回動自在に軸支するとともに、押さえ部材を機能させるための付勢手段（ばね）を設ける必要があるため、可動部品や弾性部品の精密な取り付け作業が必要となる。
【０００９】
そこで本発明は上記問題点を解決するものであり、その課題は、部品点数の増加や組立作業の困難性を回避しつつ、フレキシブル配線板の撓み状態を確実に制御することの可能なカメラ構造を提供することにある。
【００１０】
【課題を解決するための手段】
上記課題を解決するために本発明のカメラは、電気的に制御可能な光学要素と、当該光学要素を保持して光軸方向に移動可能に設けられた保持枠と、前記光学要素及び前記保持枠を収容する鏡筒と、前記光学要素を、前記光学要素を電気的に制御する制御部に対して電気的に接続するフレキシブル配線板と、を有するカメラにおいて、前記フレキシブル配線板は、前記鏡筒の内部において、常時、前記保持枠からその径方向外側において光軸方向前方へ向けて導出されるとともに、その先で径方向外側に湾曲して光軸方向後方へ向きを変えることを特徴とする。
【００１１】
この発明によれば、フレキシブル配線板が常時保持枠の径方向外側において光軸方向前方へ向けて導出され、その先において径方向外側へ湾曲して光軸方向後方へ向きを変えることにより、保持枠が光軸方向前端位置にあるときでさえ、フレキシブル配線板は保持枠から一旦光軸方向前方へ導出された後に湾曲して光軸方向後方へと向きを変えるため、保持枠が光軸方向後方へ移動したときでも、保持枠に対して相対的に湾曲領域の位置が光軸方向前方に移動するだけで、フレキシブル配線板の撓み状態は基本的に変化しない。
【００１２】
ここで、フレキシブル配線板は保持枠から径方向外側に導出され、また、その湾曲領域も径方向外側に湾曲するように構成されていることにより、保持枠の近傍においてフレキシブル配線板は基本的に保持枠よりも径方向外側に存在し、さらに、保持枠の光軸方向後方への移動によって生ずるフレキシブル配線板の長さ余裕は、保持枠から光軸方向前方へ導出された後に湾曲領域を経ることにより向きを変え光軸方向後方へ向かう部分によって吸収される。したがって、フレキシブル配線板の不所望な撓みが発生しにくいため、他の部材や光路に対する干渉を防止することができる。また、本発明においては、フレキシブル配線板の保持枠からの導出方向を光軸方向前方に向けるだけで、フレキシブル配線板の長さ余裕に起因する障害の発生を防止することができるため、押さえ部材やばね部品などのような追加部品を設ける必要がなく、また、保持枠に凹部を設けてこの凹部内にフレキシブル配線板を複雑な態様で折り畳む必要もないため、簡易な構造とすることができ、容易に組み立てることが可能になる。
【００１３】
本発明において、前記フレキシブル配線板は、前記保持枠の後部外周から導出され、当該後部外周から導出される部分に、径方向外側に屈曲して光軸方向前方に向かう自己保持可能な屈曲部を有することが好ましい。フレキシブル配線板が保持枠の後部外周から導出されることによって、保持枠の径方向外側の領域にフレキシブル配線板の湾曲領域を配置することが可能になるため、保持枠の光軸方向前方に特に空間を設けなくても、フレキシブル配線板の長さ余裕を吸収する空間を保持枠の径方向外側に確保することが可能になるので、カメラの小型化を図ることができる。また、フレキシブル配線板における保持枠から導出される部分に、径方向外側に屈曲して光軸方向前方に向かう自己保持可能な屈曲部を設けることにより、フレキシブル配線板を常時確実に保持枠から光軸方向前方へと導出させることができる。また、保持枠内において光学要素に対する導電接続部からフレキシブル配線板を光軸方向後方へ伸ばすように配置することが可能になるため、保持枠内におけるフレキシブル配線板の配置態様の自由度を高めることができ、光学要素や保持枠の設計が容易になる。なお、自己保持可能な屈曲部とは、外部から応力を受けない状態においてその屈曲形状を自立的に保持可能に構成された部分を言い、たとえば、フレキシブル配線板を構成する絶縁基材を屈曲状に成形したり、フレキシブル配線板を屈曲状態にて保持枠の一部に固着させたり、フレキシブル配線板に屈曲形状を維持するための屈曲状の補強部材を取り付けたりすることなどによって構成できる。
【００１４】
次に、本発明の別のカメラは、電気的に制御可能な光学要素と、当該光学要素を保持して光軸方向に移動可能に設けられた保持枠と、前記光学要素及び前記保持枠を収容する鏡筒と、前記光学要素を、前記光学要素を電気的に制御する制御部に対して電気的に接続するフレキシブル配線板と、を有するカメラにおいて、前記フレキシブル配線板は、全体として前記鏡筒の内部を前記光学要素から光軸方向後方へ向けて伸び、前記保持枠の近傍において途中で径方向外側に屈曲して光軸方向前方へ向きを変える自己保持可能な屈曲部を有し、当該屈曲部の先において径方向外側に湾曲して光軸方向後方へ向きを変えることを特徴とする。
【００１５】
この発明によれば、フレキシブル配線板は、保持枠の近傍において径方向外側へ屈曲する自己保持可能な屈曲部を有し、また、その先において径方向外側に湾曲して光軸方向後方へ向きを変えるため、保持枠の近傍においてフレキシブル配線板は基本的に保持枠の径方向外側に位置することになる。さらに、フレキシブル配線板は、保持枠が光軸方向後方へ移動しても、屈曲部から光軸方向前方へ伸び、その先で湾曲して光軸方向後方へ伸びる部分においてその長さ余裕を吸収することができるため、フレキシブル配線板による他の部材や光路への干渉を防止できる。また、フレキシブル配線板に屈曲部を設けるだけでフレキシブル配線板の不所望な撓みを防止することができるため、押さえ部材やばね部品などのような追加部品を設ける必要がなく、また、保持枠に凹部を設けてこの凹部内にフレキシブル配線板を複雑に折り畳む必要もないため、簡易な構造とすることができ、容易に組み立てることが可能になる。さらに、上記のような屈曲部を設けることにより、保持枠内において光学要素に対する導電接続部からフレキシブル配線板を光軸方向後方へ伸ばすように配置することが可能になるため、保持枠内におけるフレキシブル配線板の配置態様の自由度を高めることができ、光学要素や保持枠の設計が容易になる。
【００１６】
本発明において、前記光学要素の光軸方向前方に、前方光学要素及び当該前方光学要素を保持して光軸方向に移動可能に設けられた前方保持枠を設け、当該前方保持枠は、光軸方向後方へ移動したときに、前記フレキシブル配線板における湾曲して光軸方向後方へ向きを変える部分（すなわち湾曲領域）の径方向外側に挿入配置されるように構成されていることが好ましい。これによれば、前方保持枠が光軸方向後方へ移動したときに、フレキシブル配線板の湾曲領域の径方向外側に挿入配置されるように構成されていることにより、前方保持枠によってフレキシブル配線板の湾曲領域が光軸方向後方へ押しやられる（押し曲げられる）ことが防止される。したがって、フレキシブル配線板の損傷や鏡筒の動作不良などを防止できる。
【００１７】
本発明において、前記鏡筒の内部の光軸方向後方位置に、前記フレキシブル配線板における湾曲して光軸方向後方へ向きを変える部分（すなわち湾曲領域）よりも光軸方向後方にある部分を半径方向内側から支持する基板支持部を有することが好ましい。これによれば、基板支持部によってフレキシブル配線板の後方部分が径方向内側から支持されるため、当該後方部分が光軸寄りに撓んで他の部材や光路に干渉することを防止できる。また、上記の基板支持部による支持によってフレキシブル配線板の後方部分の撓みが防止されることにより、保持枠が光軸方向後方へ移動していく過程でフレキシブル配線板におけるより後方側の部分が次々と湾曲して上記の湾曲領域を順次構成していく際に、フレキシブル配線板の湾曲領域における変形動作をスムーズに行わせることが可能になるため、フレキシブル配線板の形状変化による負荷を低減することができ、フレキシブル配線板の耐久性をも向上できるといった効果も考えられる。
【００１８】
本発明において、前記基板支持部は、前記保持枠が光軸方向後方に位置するとき、前記保持枠の外面との間に前記フレキシブル配線板を配置可能な状態で径方向に重なるように設けられていることが好ましい。これによれば、保持枠が光軸方向後方に位置するとき、保持枠の外面上にあって光軸方向前方に伸びるフレキシブル配線板の部分を径方向外側から押さえることができるため、保持枠の外面上のフレキシブル配線板が径方向外側に跳ね上がることも防止できる。なお、この保持枠の外面上におけるフレキシブル配線板の跳ね上がりは、上記の前方保持枠が光軸方向後方へ後退したとき、湾曲領域の径方向外側に前方保持枠の後端部が挿入配置されることを妨げるため、前方保持枠の後端部によってフレキシブル配線板の湾曲領域が光軸方向後方へ押しやられてしまうといった事態を招くことになる。また、上記のように基板支持部を構成することで、保持枠を光軸方向後方へ移動させても基板支持部と干渉せず、フレキシブル配線板の支持にも支障がなくなるため、保持枠の動作ストロークを大きく確保することができ、カメラの小型化にも寄与し得る。
【００１９】
なお、上記の光学要素の具体例としてはシャッタ機構が挙げられる。また、上記の保持枠には、前記光学要素に対して光軸方向後方に位置するレンズ群（単一レンズ若しくは組レンズ）を取り付けることが好ましい。また、前記前方光学要素の具体例としては前方レンズ群を挙げることができる。さらに、フレキシブル配線板は、制御部に対して直接接続されていなくてもよく、たとえば、制御部に対して接続された端子部などに対して導電接続されていてもよいが、上記の鏡筒の後部から外部に導出されて前記制御部に対して直接接続されていることが好ましい。
【００２０】
上記各手段において、保持枠の外面と鏡筒の内面との間には上記湾曲領域を収容可能な空間が設けられていることが好ましい。特に、この空間は、保持枠におけるフレキシブル配線板が導出される外面部分が光軸周りの他の部分よりもやや径方向内側に形成されることによって確保されていることが望ましい。
【００２１】
また、上記各手段における屈曲部は、基本的にフレキシブル配線板の所定位置にある部分（好ましくは保持枠から導出される部分）に固定された状態で設けられるものである。これに対して、上記湾曲領域は、保持枠の光軸方向への移動に伴ってフレキシブル配線板の異なる部分によって構成されていくものである。
【００２２】
【発明の実施の形態】
次に、添付図面を参照して本発明に係るカメラの実施形態について詳細に説明する。図１は、本発明に係るカメラの概略構造を示す概略縦断面図である。本実施形態のカメラ１００は沈胴式カメラであり、特に図示例ではディジタルスチルカメラを示してある。カメラ１００は外側ケース１０１を有し、この外側ケース１０１の内部にマスター枠１０２が固定されている。また、このマスター枠１０２に対して筒状カバー１１１、カム筒１１２及び案内筒１１３を含む鏡筒１１０が取り付けられている。カム筒１１２は、筒状カバー１１１の内側において回転自在に配置され、その内周面にカム１１２ａ，１１２ｂが形成されている。カム筒１１２は、図示しない駆動機構によって正逆両方向に回転駆動されるように構成されている。なお、図示例ではこれらのカム１１２ａ，１１２ｂはカム溝として構成されているが、このようなカム溝の代わりに、カム筒１１２の内面上に形成されるリブ状のカムを形成してもよく、或いは、カム筒１１２の筒状壁を内外に貫通するカム孔を形成してもよい。また、案内筒１１３には光軸方向に伸びる案内路１１３ａが形成されている。この案内路１１３ａは、光軸方向に直線状に伸びる長孔によって構成されている。
【００２３】
鏡筒１１０の内側には、第１レンズ群１２１と、この第１レンズ群を保持する前方保持枠１２２とが配置され、前方保持枠１２２は光軸方向（図示左右方向）に移動可能に配置されている。前方保持枠１２２は、案内筒１１３に設けられた案内路１１３ａに係合するとともに、カム筒１１２のカム１１２ａに係合した係合部１２２ａを備えている。そして、前方保持枠１２２は、カム筒１１２が回転することにより、カム１１２ａと係合部１２２ａとの係合に従って光軸方向前後に案内駆動される。このようにして前方保持枠１２２が光軸方向前後に移動するとき、案内筒１１３の案内路１１３ａは係合部１２２ａの光軸周りの位置を規制し、前方保持枠１２２が光軸周りに回転しないようにしている。
【００２４】
また、第１レンズ群１２１の光軸方向後方（図示右方）には、シャッタ機構１２３と、第２レンズ群１２４とが順次配置され、これらのシャッタ機構１２３及び第２レンズ群１２４を保持する保持枠１２５が光軸方向に移動可能に配置されている。保持枠１２５は、案内筒１１３に設けられた上記案内路１１３ａに係合するとともに、カム筒１１２のカム１１２ｂに係合した係合部１２５ａを備えている。そして、保持枠１２５は、カム筒１１２が回転することにより、カム１１２ｂと係合部１２５ａとの係合に従って光軸方向前後に案内駆動される。このようにして保持枠１２５が光軸方向前後に移動するとき、案内筒１１３の案内路１１３は係合部１２５ａの光軸周りの位置を規制し、保持枠１２５が光軸周りに回転しないようにしている。
【００２５】
第２レンズ群１２４の光軸方向後方には、第３レンズ群１２６と、フィルタ１２７とが順次配置されている。フィルタ１２７は後方保持枠１２８に保持されている。また、フィルタ１２７のさらに光軸方向後方には、回路基板１３０上に実装された撮像素子（たとえばＣＣＤ：電荷結合素子）が配置されている。
【００２６】
シャッタ機構１２３にはフレキシブル配線板１３２の一部１３２ａ（以下、「導電接続部」という。）が導電接続されている。このフレキシブル配線板１３２は、ポリイミド樹脂やポリエステル樹脂などの絶縁基材に適宜の配線パターンが形成されたものである。フレキシブル配線板１３２は、シャッタ機構１２３に対する導電接続部１３２ａから光軸方向後方へ伸び、保持枠１２５の内部を通過し、保持枠１２５の後部外周から導出されている。より具体的には、フレキシブル配線板１３２は、保持枠１２５の外周部１２５ｂの後端部から導出されている。フレキシブル配線板１３２は、外周部１２５ｂの後端部に沿って、径方向内側から径方向外側へ向けて屈曲し、これにより光軸方向後方から光軸方向前方へとフレキシブル配線板１３２の向きを変える屈曲部１３２ｂが形成されている。そして、この屈曲部１３２ｂが設けられていることにより、フレキシブル配線板１３２は保持枠１２５から光軸方向前方へ向けて導出される。
【００２７】
屈曲部１３２ｂは、その屈曲形状を自己保持可能に構成されている。すなわち、外部からの応力を加えない状態で屈曲部１３２ｂの屈曲形状が自立的に維持されるようになっている。このような自己保持可能な屈曲部１３２ｂは、たとえば、フレキシブル配線板１３２自体を屈曲状に成形することで構成することができる。すなわち、より具体的には、加熱成形などによってフレキシブル配線板１３２の絶縁基材に癖を付け、図示の屈曲形状が保持されるようにすることができる。また、フレキシブル配線板１３２自体ではなく、上記外周部１２５ｂの後端部にフレキシブル配線板１３２を接着剤等により固着することによって上記屈曲形状を維持することも可能である。さらに、フレキシブル配線板１３２に部分的に屈曲状の補強板を固着させ、上記屈曲形状を維持するようにしても構わない。いずれにしても、フレキシブル配線板１３２の姿勢をより安定させるためには、フレキシブル配線板１３２における保持枠１２５からの導出部分、或いは、上記屈曲部１３２ｂを、保持枠１２５の後部外周（外周部１２５ｂの後端）に固着することが好ましい。
【００２８】
フレキシブル配線板１３２は、上記のように光軸方向前方へ導出された後に、径方向外側へ湾曲して再び光軸方向後方へと向きを変え、そのまま鏡筒１１０の内面に沿って光軸方向後方に伸びる。なお、このフレキシブル配線板１３２の湾曲した部分を、本明細書においては湾曲領域１３２ｃという。ここで、上記の外周部１２５ｂは、保持枠１２５の外周の一部（図示例では上部）において、光軸周りの他の外周部分よりもやや径方向内側に設けられており、これによって、この外周部１２５ｂの外面と鏡筒１１０の内面との間に空間１１５が形成されている。そして、フレキシブル配線板１３２の上記湾曲領域１３２ｃは、この空間１１５内に収容される。
【００２９】
フレキシブル配線板１３２は、上記湾曲領域１３２ｃから光軸方向後方へと伸び、やがて鏡筒１１０の後端から出る。そして、マスター枠１０２の後方を通過して回路基板などによって構成される制御部１３３に導電接続される。制御部１３３は、上記のシャッタ機構１２３を制御する制御信号などを出力するものである。なお、図示例ではフレキシブル配線板１３２は鏡筒１１０の外部へ出て制御部１３３に直接導電接続されているが、フレキシブル配線板１３２は結果的に制御部１３３に導電接続されていればよく、たとえば、鏡筒１１０、マスター枠１０２、回路基板１３０などに設けられた中継端子にフレキシブル配線板１３２を導電接続し、この中継端子を直接若しくは間接的に制御部１３３に導電接続させるようにしてもよい。
【００３０】
上記空間１１５において、前方保持枠１２２の後端部１２２ｃは、フレキシブル配線板１３２の上記湾曲領域１３２ｃの径方向中央部よりも径方向外側に配置されている。より具体的には、前方保持枠１２２の後端部１２２ｃは、湾曲領域１３２ｃのほぼ径方向中央部に位置する、最も光軸方向前方に突出した突端部分の径方向位置よりも、径方向外側にずれた位置に配置されている。したがって、後述するように、前方保持枠１２２が光軸方向後方へ移動したとき、前方保持枠１２２の後端部１２２ｃは、フレキシブル配線板１３２の湾曲領域１３２ｃをそのまま光軸方向後方へと押しやって（押し曲げて）しまうことがなく、湾曲領域１３２ｃと鏡筒１１０の内面との間に挿入配置される。
【００３１】
保持枠１２２の光軸方向後方には、上記外周部１２５ｂに対して光軸方向に対向配置される基板支持部１２８ｃが設けられている。この基板支持部１２８ｃは、保持枠１２５の外周部１２５ｂよりもやや径方向外側に設けられている。そして、後述するように、保持枠１２５が光軸方向後方に移動したとき、外周部１２５ｂと径方向内外に相互に重なり合うことができるとともに、外周部１２５ｂとの間にフレキシブル配線板１３２を配置できるように構成されている。本実施形態では、この基板支持部１２８ｃは、後方保持枠１２８の一部として構成され、後方保持枠１２８における光軸方向前方に突き出た部分（舌状部）となっている。
【００３２】
以上説明した構造を有するカメラ１００において、図２の（ａ）〜（ｃ）、図３の（ａ）〜（ｃ）及び図４の（ａ）〜（ｃ）は、鏡筒１１０及びその内側にある内部構造の縦断面図を示すものである。これらの図面は、今まで参照してきた図１とともに、上記前方保持枠１２２及び保持枠１２５が異なる複数の動作位置にある各態様を示すものである。図１乃至図４に示す各動作位置は、図５に示すカム筒１１２の上記カム１１２ａ及び１１２ｂのカム形状によって実現される。図５は、カム筒１１２の内周面の展開図である。ここで、図５に示すＡ〜Ｊは、前方保持枠１２２の係合部１２２ａ及び保持枠１２５の係合部１２５ａに係合する角度位置を示すものである。角度位置Ａは、図１に示すテレ状態（望遠状態）を実現する。角度位置Ｂ〜Ｄは、図２の（ａ）〜（ｃ）に示す状態をそれぞれ実現する。角度位置Ｅ〜Ｇは、図３の（ａ）〜（ｃ）に示す状態をそれぞれ実現する。角度位置Ｈ〜Ｊは、図４の（ａ）〜（ｃ）に示す状態をそれぞれ実現する。ここで、角度位置Ｈに対応する図４（ａ）に示す状態はワイド状態であり、角度位置Ｊに対応する図４（ｃ）に示す状態は沈胴状態である。なお、カム筒１１２には、光軸周りに３組の上記カム１１２ａ，１１２ｂが形成されており、これらに対応して、前方保持枠１２２及び保持枠１２５にも、３つずつの係合部１２２ａ，１２５ａがそれぞれ設けられ、上記カムの各組に係合している。
【００３３】
次に、上述のように構成されたカメラ１００の動作について説明する。カム筒１１２が回転駆動されると、係合部１２２ａ，１２５ａは、カム１１２ａ，１１２ｂによって案内路１１３ａに沿って光軸方向前後に直進駆動され、これによって、前方保持枠１２２及び保持枠１２５がカメラ本体に対して出没動作する。図１に示すテレ状態（角度位置Ａ）では、前方保持枠１２２は光軸方向前端位置にあり、また、保持枠１２５も光軸方向前端位置にある。そして、図２（ａ）、（ｂ）、（ｃ）では、前方保持枠１２２及び保持枠１２５が少しずつ光軸方向後方へ順次移動していく状態が示されている。さらに、図３（ａ）、（ｂ）、（ｃ）では、前方保持枠１２２は逆に光軸方向前方へ順次戻るように移動していくが、保持枠１２５はさらに光軸方向後方へ順次移動していく様子が示されている。図４（ａ）に示すワイド状態では、前方枠１２２は光軸方向前端位置にあるが、保持枠１２５は光軸方向後端位置にある。図４（ｂ）に示す状態では、前方保持枠１２２がワイド状態から光軸方向後方へ移動し、保持枠１２５は光軸方向後端位置のままである。図４（ｃ）に示す沈胴状態では、前方保持枠１２２が光軸方向後端位置まで没するとともに、保持枠１２５も光軸方向後端位置にある。
【００３４】
本実施形態では、保持枠１２５が光軸方向前端位置にあるときでも、フレキシブル配線板１３２の保持枠１２５からの導出方向は光軸方向前方であり、また、その先において湾曲領域１３２ｃが形成されている。図２（ａ）に示す角度位置Ｂから図４（ｂ）に示す角度位置Ｉまでに示すように、保持枠１２５が光軸方向前端位置から光軸方向後方へと移動していく過程において、常時、上記の保持枠１２５からのフレキシブル配線板１３２の導出方向が光軸方向前方に維持され、また、湾曲領域１３２ｃの湾曲形状もほとんど同形状に維持される。ただし、フレキシブル配線板１３２における湾曲領域１３２ｃは、上記過程の進行とともに、光学要素であるシャッタ機構１２３に対する導電接続部１３２ａから徐々に離れた部分によって構成されていく。このとき、湾曲領域１３２ｃの光軸方向後方への移動量は、保持枠１２５の光軸方向後方への移動量の略半分であるから、保持枠１２５を基準にすれば、湾曲領域１３２ｃの位置は逆に光軸方向前方に相対的に移動していくことになる。したがって、フレキシブル配線板１３２は、徐々に保持枠１２５の外周部１２５ｂの外面上のより広い範囲に亘って光軸方向前方へ延在するようになる。
【００３５】
基板支持部１２８ｃは、保持枠１２５が光軸方向前方寄りにあるとき（角度位置Ａ〜Ｅ、すなわち図１乃至図３（ａ）に示す状態のとき）には、フレキシブル配線板１３２の上記湾曲領域１３２ｃより先の光軸方向後方にある部分を径方向内側（図示下側）から支持する機能を有する。したがって、図示例の場合よりもフレキシブル配線板１３２の長さ余裕が大きい場合でも、フレキシブル配線板１３２が光軸側に湾曲して（図示例では垂れ下がって）しまうことにより、光路の一部を遮ったり、フレキシブル配線板１３２が保持枠１２５と後方保持枠１２８との間に挟まれてしまったりするといったことを防止できる。
【００３６】
一方、保持枠１２５が光軸方向後方寄りへ移動していくと、基板支持部１２８ｃが外周部１２５ｂに接近し、やがて、角度位置Ｆ〜Ｊ（図３（ｂ）〜図４（ｃ））において、基板支持部１２８ｃは、外周部１２５ｂに対してフレキシブル配線板１３２を挟んで対向するように径方向に重なる。このとき、基板支持部１２８ｃは、保持枠１２５の外周部１２５ｂ上にあるフレキシブル配線板１３２を径方向外側から押さえる機能をも有するものとなる。
【００３７】
前方保持枠１２２は、角度位置Ａ及びＨ（図１及び図４（ａ）に示す状態）のときに光軸方向前端位置にあり、このときには、前方保持枠１２２の後端部１２２ｃは基本的にフレキシブル配線板１３２の湾曲領域１３２ｃの近傍或いはこれよりも光軸方向前方に位置する。前方保持枠１２２の後端部１２２ｃは、鏡筒１１０のすぐ内側に位置し、径方向に見た場合において、湾曲領域１３２ｃの径方向中央部（或いは、最も光軸方向前方に位置する突端部分）よりも径方向に見て外側に位置する。したがって、前方保持枠１２２が光軸方向後方へ移動していくと、図４（ｂ）（角度位置Ｉ）に示すように、その後端部１２２ｃはやがて湾曲領域１３２ｃと鏡筒１１０の内面との間に挿入され、沈胴状態を示す角度位置Ｊ（図４（ｃ）に示す状態）のときに、前方保持枠１２２の後端部１２２ｃがフレキシブル配線板１３２と鏡筒１１０との間に挿入配置された状態になる。
【００３８】
ところで、保持枠１２５が光軸方向後方寄りに位置するときには、保持枠１２５の外周部１２５ｂの径方向外側にあるフレキシブル配線板１３２の部分、すなわち、屈曲部１３２ｂから湾曲領域１３２ｃに至る部分が径方向外側（図示例では上側）に跳ね上がると、湾曲領域１３２ｃの径方向中央部（或いは突端部分）が鏡筒１１０の内面側に相対的に移動し、湾曲領域１３２ｃが全体として鏡筒１１０の内面に押し付けられた状態になることが考えられる。このような状態では、前方保持枠１２２が光軸方向後方へ移動してきたとき、その後端部１２２ｃが鏡筒１１０と湾曲領域１３２との間に挿入されずに、湾曲領域１３２ｃを光軸方向後方へ押しやってしまい、フレキシブル配線板１３２を異常な形状に変形させてしまったり、フレキシブル配線板１３２に損傷を与えてしまったりする可能性がある。このような状態は、特に、保持枠１２５が光軸方向後端位置（図４（ｃ）に示す位置）の近傍に位置することにより外周部１２５ｂの外面上の光軸方向の広い範囲に亘ってフレキシブル配線板１３２が延在するときに生じ得る。ところが、本実施形態では、保持枠１２５が光軸方向後方に移動すると、基板支持部１２８ｃが外周部１２５ｂの径方向外側に重なるように配置されるので、基板支持部１２８によって外周部１２５ｂ上にあるフレキシブル配線板１３２の延在部分の跳ね上がりが防止され、湾曲領域１３２ｃを径方向内側（すなわち外周部１２５ｂ側）に押さえ付けることができる。したがって、湾曲領域１３２ｃが鏡筒１１０の内面から離れるため、前方保持枠１２２の後端部１２２ｃはスムーズに湾曲領域１３２ｃと鏡筒１１０との間に挿入配置される。
【００３９】
本実施形態では、フレキシブル配線板１３２が常時湾曲領域１３２ｃを有する状態となっているため、フレキシブル配線板１３２の姿勢が安定するとともに、湾曲領域１３２ｃが径方向外側に湾曲しているために、他の部材や光路に対する干渉を低減できる。また、鏡筒１１０内においてフレキシブル配線板１３２の複雑な折り畳み状態を設ける必要がないため、或いは、可動部品や追加部品を設ける必要がないため、フレキシブル配線板１３２の取り付けや収容に係る組立作業を容易に行うことができる。さらに、鏡筒１１０内に可動部品や追加部品を設ける必要がないので、構造を簡易なものとすることができ、鏡筒１１０の小型化を図ることもできる。
【００４０】
本実施形態では、フレキシブル配線板１３２が保持枠１２５の後部外周から径方向外側及び光軸方向前方に向けて導出されているので、フレキシブル配線板１３２の径方向内側への撓みを防止することができ、より確実に他の部材や光路に対する干渉を防止することができる。また、径方向外側に屈曲して光軸方向前方へと向きを変えるための自己保持可能な屈曲部１３２ｂをフレキシブル配線板１３２に設けてあるため、保持枠１２５の光軸方向の位置に拘わらず、フレキシブル配線板１３２の湾曲姿勢を常に安定的に維持することが可能になることから、保持枠１２５の全ストローク範囲に亘ってフレキシブル配線板１３２の姿勢の安定性を高めることができるため、より確実に他の部材や光路に対する干渉を防止することができる。
【００４１】
本実施形態において、前方保持枠１２２の後端部１２２ｃは、フレキシブル配線板１３２の湾曲領域１３２ｃの径方向中央部、或いは、湾曲領域１３２ｃの光軸方向の最も前方に位置する突端部分よりも径方向外側に位置するので、前方保持枠１２２が光軸方向後方へ移動したときに、後端部１２２ｃはフレキシブル配線板１３２の湾曲領域１３２ｃと鏡筒１１０との間に挿入配置される。したがって、湾曲領域１３２ｃをそのまま光軸方向後方へ押しやって（押し曲げて）しまうことがなくなり、フレキシブル配線板１３２の損傷を防止することができるとともに、フレキシブル配線板１３２が保持枠１２５と後方保持枠１２８との間に噛み込まれることなどによる鏡筒の動作不良の発生を防止できる。
【００４２】
また、本実施形態では、保持枠１２５の光軸方向後方に基板支持部１２８ｃが設けられ、この基板支持部１２８ｃがフレキシブル配線板１３２の湾曲領域１３２ｃより光軸方向後方にある部分を径方向内側から支持するように構成されているため、より確実にフレキシブル配線板１３２の他の部材や光路に対する干渉を防止できる。また、基板支持部１２８ｃは保持枠１２５の外周部１２５ｂよりも半径方向外側に配置され、保持枠１２５が光軸方向後方に位置するとき、外周部１２５ｂの径方向外側に位置するフレキシブル配線板１３２の部分（導出部分若しくは屈曲部１３２ｂから湾曲領域１３２ｃに至るまでの部分）を半径方向外側から押さえるので、湾曲領域１３２ｃが半径方向外側に跳ね上がることにより湾曲領域１３２ｃが半径方向外側に移動し、これによって前方保持枠１２２が光軸方向後方へ移動したときにその後端部１２２ｃが湾曲領域１３２を光軸方向後方へ押しやってしまうといった事態の発生を防止できる。
【図面の簡単な説明】
【図１】カメラの内部構造のカム筒が角度位置Ａにあるときの状態を示す概略縦断面図。
【図２】カメラの鏡筒内構造のカム筒角度位置Ｂにあるときの状態を示す概略縦断面図（ａ）、角度位置Ｃにあるときの状態を示す概略縦断面図（ｂ）、及び、角度位置Ｄにあるときの状態を示す概略縦断面図（ｃ）。
【図３】カメラの鏡筒内構造のカム筒角度位置Ｅにあるときの状態を示す概略縦断面図（ａ）、角度位置Ｆにあるときの状態を示す概略縦断面図（ｂ）、及び、角度位置Ｇにあるときの状態を示す概略縦断面図（ｃ）。
【図４】カメラの鏡筒内構造のカム筒角度位置Ｈにあるときの状態を示す概略縦断面図（ａ）、角度位置Ｉにあるときの状態を示す概略縦断面図（ｂ）、及び、角度位置Ｊにあるときの状態を示す概略縦断面図（ｃ）。
【図５】カム筒の内面のカム形状を角度位置Ａ〜Ｊとともに示す展開図。
【符号の説明】
１００…カメラ、１１０…鏡筒、１１１…筒状カバー、１１２…カム筒、１１３…案内筒、１２１…第１レンズ群、１２２…前方保持枠、１２３…シャッタ機構、１２４…第２レンズ群、１２５…保持枠、１２６…第３レンズ群、１２７…フィルタ、１２８…後方保持枠、１３０…回路基板、１３１…撮像素子、１３２…フレキシブル配線板、１３２ａ…導電接続部、１３２ｂ…屈曲部、１３２ｃ…湾曲領域、１３３…制御部
【図１】
2004205610.tif 000003
【図２】
2004205610.tif 000004
【図３】
2004205610.tif 000005
【図４】
2004205610.tif 000006
【図５】
2004205610.tif 000007